【事件の表示】
　特願２００３−３２５２１７「ソレノイドの行程制限機構」拒絶査定不服審判事件〔平成１７年　４月　７日出願公開、特開２００５−　９００８８〕について、次のとおり審決する。
【結　論】
　本件審判の請求は、成り立たない。
【理　由】
１　手続の経緯・本願発明
　本願は，平成１５年９月１７日の出願であって，平成２２年１月２２日付けで拒絶査定がなされ，これに対し，同年４月２６日に拒絶査定に対する審判請求がなされるとともに，同時に手続補正がなされたものである。
　その後，平成２３年３月２２日付けで平成２２年４月２６日付けの手続補正を却下するとともに，拒絶の理由を通知したところ，平成２３年５月２３日付けで審判請求人から手続補正書（平成２３年９月２１日付けの手続補正により補正）が提出された。
　
　本願の請求項１に係る発明は，平成２３年５月２３日付け手続補正書の特許請求の範囲の請求項１に記載された事項により特定される，以下のとおりのものである。
　
「【請求項１】
　ソレノイドのプランジャが出没する外面に、プランジャに近接して、その中心軸に平行な規制板を装着し、この規制板にプランジャの長さ方向に沿う長孔を開口させ、この長孔に、プランジャの外側面に突設された連結ピンを係合させてプランジャの行程を制限することにより、ソレノイドにより制御される機構側のプランジャの規制機構を省略するようにしたことを特徴とするソレイドの行程制限機構。」（以下，「本願発明」という。）
　
２　刊行物及びその記載内容　
　刊行物１　実願平４−１７０４７号（実開平６−２０８１６号）のＣＤ−ＲＯＭ
　刊行物２　特開平７−２３５１０２号公報
　
　（１）平成２３年３月２２日付け拒絶理由通知書にて通知され，本願出願前に頒布された上記刊行物１には，図面とともに，以下の記載がある。　
　(1a)「【請求項１】ソレノイド５２にて進退する作動杆５５にばね５４を介在し、この作動杆５５の先端部にリンク部材６０の第１点で連結ピン５８により軸架し、この連結ピン５８を通る作動杆５５の軸線からずらして支点軸６１を設け、前記リンク部材６０の第２点を支点軸６１に軸架されて回転の支点となし、このリンク部材６０の第３点には、前記連結ピン５８に向かってガイド孔６３を形成し、錠ピン６５に固着されたガイドピン６４を前記ガイド孔６３に係合し、吊り車枠１４の上部には、前記錠ピン６５が係脱する錠孔６９を形成した係止板６７を固定的に取付けてなることを特徴とする自動ドアの電気錠装置。」
　(1b）「【００１０】
前記電気錠装置４９は、細長箱状の前記ブラケット５０の内部に、ソレノイド５２が収納固定され、このソレノイド５２から突出した軸ピン５３が作動杆５５に連結されるとともに、ばね５４が介在されている。前記作動杆５５の両側部のガイドピン５６は、ブラケット５０の長孔５７に遊嵌している。前記作動杆５５の先端部は、ブラケット５０内に設けられた取付けブロック５９に進退自在に嵌合している。この作動杆５５の先端部には、３角形のリンク部材６０の第１点で連結ピン５８により軸架されている。この連結ピン５８には、ゴムのＯリングが内蔵されて、揺動を吸収し、ノイズの発生を防止している。この連結ピン５８を通る作動杆５５の軸線を中心にして左右の等しい距離をおいて第１支点軸６１と第２支点軸６２が設けられている。」
　(1c)「【００１５】
まず、以上のような構成における電気錠装置４９の動作について説明する。
停電していない場合において、ソレノイド５２が励磁されていると、ばね５４に抗して軸ピン５３と作動杆５５が吸引され、作動杆５５の先端の連結ピン５８が引き込まれるので、リンク部材６０は、第１支点軸６１を支点として図の実線状態（時計方向）に回転し、そのためガイド孔６３に係合するガイドピン６４を介して錠ピン６５が図の上方向に突出している。したがって、錠ピン６５は係止板６７の錠孔６９に嵌合せず、施錠していない状態となる。
ここで、停電すると、ソレノイド５２が解磁され、ばね５４によって軸ピン５３と作動杆５５は突出し、リンク部材６０は、第１支点軸６１を支点として図の鎖線のように（反時計方向）回動し、ガイド孔６３に係合するガイドピン６４を介して錠ピン６５が図の下方に突出して係止板６７の錠孔６９に嵌合し、施錠される。」
　(1d)【図１】には，ソレノイド５２で進退する作動杆５５に近接した位置に，ブラケットの長孔５７を有する面が配されている様子が示されている。
　(1e)(1c)を参酌すれば，【図１】には，リンク部材６０が実線の施錠していない状態と鎖線の施錠状態との間で回動する様子が示されている。
　
　上述の記載事項（1a）〜（1e）及び図面の記載から見て，刊行物１には，以下の発明が記載されているものと認められる（以下，「刊行物１記載の発明」という。）。
　
　「ソレノイド５２にて進退する，軸ピン５３に連結された作動杆５５に近接して，長孔５７を開口したブラケット５０が配され，この長孔に，作動杆５５の両側部に設けられたガイドピン５６が遊嵌しており，作動杆５５の先端には，リンク部材６０の第１点に連結ピン５８によって軸架されており，リンク部材は第２点の支点軸６１に軸架されて支点軸回りに回動するように構成されており，リンク部材６０の第３点には連結ピンに向かってガイド孔６３が形成されており，錠ピン６５に固着されたガイドピン６４を前記ガイド孔６３に係合して錠孔に係脱させる機構が設けられている電気錠装置。」
　
　（２）同じく上記刊行物２には，図面とともに，以下の記載がある（下線は合議体が付与。）。
　(2a)「【００２９】実施例リール台係止機構３０は、それぞれ同一部材によって構成され、図１に示すように、リールフレーム７のストッパ部材９と相対係合してリール台４を係止保持するリール台係止部材３２Ａ・３２Ｂ（３２）と、このリール台係止部材３２を移動自在に支持する保持部材３３Ａ・３３Ｂ（３３）と、プランジャ３５Ａ・３５Ｂ（３５）を組み込んだソレノイド３４Ａ・３４Ｂ（３４）及び保持部材３３とソレノイド３４とを組み合わせる取付け部材３６Ａ・３６Ｂ（３６）等の部材によって構成され、ダイキャスト製の装置ベースに形成したそれぞれ一対の取付け部３１Ａ１、３１Ａ２・３１Ｂ１、３１Ｂ２（３１）上に配設固定される。
【００３０】
ソレノイド３４及びプランジャ３５については、上述した従来のソレノイド１７と同一の部材が用いられ、フレームを兼ねる枠状ヨークの内部に筒状コイルを組み込んで構成したソレノイド３４の前記筒状コイルの中心穴３７Ａ、３７Ｂ（３７）にプランジャ３５が移動自在に組み込まれる。プランジャ３５は、図８に示すように、それぞれ先端部分に軸方向のホゾ溝３８Ａ、３８Ｂ（３８）が形成されるとともに、連結ピン４０Ａ・４０Ｂ（４０）が嵌合されるピン穴３９Ａ・３９Ｂ（３９）が穿設されている。
【００３１】リール台係止部材３２は、図８に示すように、それぞれ一端部に軸方向のホゾ４２Ａ・４２Ｂ（４２）が突出形成されるとともに連結ピン４０が嵌合されるピン穴４３Ａ・４３Ｂ（４３）が穿設されている。このリール台係止部材３２は、ホゾ４２をホゾ溝３８に嵌合した後、連結ピン４０を連通状態のピン穴４３とピン穴３９とに連結ピン４０を嵌合することによって、プランジャ３５と結合される。
連結ピン４０は、図８に示すように、プランジャ３５の外周面に大きく突出して
【００３２】保持部材３３は、金属板材料を外形抜き加工、穴抜き加工或いは曲げ加工を施して形成したプレス部品によって構成されている。この保持部材３３は、図１に示すように、底面部４４Ａ・４４Ｂ（４４）と、この底面部４４のリールフレーム７側の一方側に立上り形成された側面部４６Ａ・４６Ｂ（４６）と、この側面部４６と対向するようにして底面部４４の他方側に一対の切欠き溝によって形成した舌片部を立上り形成した軸受け側面部４８Ａ・４８Ｂ（４８）及び底面部４４の幅方向の側端部に突出形成したそれぞれ一対の取付け側面部５０Ａ１、５０Ａ２・５０Ｂ１、５０Ｂ２（５０）とからなる全体が略上向きコ字状に形成されている。
【００３３】底面部４４には、装置ベースにリールフレーム７と直交する互いに平行な一対の取付け部３１にそれぞれ穿設した取付け穴５５Ａ１、５５Ａ２・５５Ｂ１、５５Ｂ２（５５）に対応して取付け穴４５Ａ１、４５Ａ２・４５Ｂ１、４５Ｂ２（４５）がそれぞれ穿設されている。前記側面部４６及び軸受け側面部４８には、互いに軸線を一致させてリール台係止部材ガイド穴４７Ａ・４７Ｂ（４７）、４９Ａ・４９Ｂ（４９）がそれぞれ穿設されている。また、取付け側面部５０は、上端部が水平方向に折曲され、この折曲部分にそれぞれ取付け穴５１Ａ１、５１Ａ２・５１Ｂ１、５１Ｂ２（５１）が穿設されている。
【００３４】
保持部材３３とソレノイド３４とを組み合わせる取付け部材３６は、図１に示すように、板状のソレノイド取付け部と、その一端側を略クランク状に折曲することによって段落ちとされた保持部材取付け部５９Ａ・５９Ｂ（５９）とから構成され、ソレノイド取付け部が取付けねじ５６Ａ１、５６Ａ２・５６Ｂ１、５６Ｂ２（５６）を介してソレノイド３４のヨーク天井面に接合固定されることによって、ソレノイド３４と一体に組み合わされる。
【００３５】このようにして、取付け部材３６を介して保持部材３３とソレノイド３４とを組み合わせることによって、プランジャ３５の先端部に結合されたリール台係止部材３２は、図３乃至図６に示すように、取付け部材３６の側面部４６及び軸受け側面部４８に軸線を一致させてそれぞれ穿設したリール台係止部材ガイド穴４７、４９に貫通支持される。
【００３６】
取付け部材３６の保持部材取付け部５９には、プランジャ３５とリール台係止部材３２とを連結する連結ピン４０の一端部が係合することによって、この連結ピン４０をガイドする連結ピンガイド溝６０Ａ・６０Ｂ（６０）が、リールフレーム７と直交する方向に穿設されている。この、連結ピンガイド溝６０は、後述するリール台係止部材３２の駆動動作に際して、リール台係止部材３２の先端部が保持部材３３の側面部４６からリールフレーム７のストッパ部材９の移動路に臨む第１の位置と、ストッパ部材９の移動路から構体する第２の位置との範囲に亘って移動動作するように、連結ピン４０の動作量を規制する長さを有して保持部材取付け部５９に穿設されている。
　(2b)【図１】，【図６】には，取付け部材３６の保持部材取付け部５９は板状であること，保持部材取付け部５９はプランジャに近接して，その中心軸に平行に取り付けられたものであること，連結ピンガイド溝６０は，プランジャの長手方向に沿う長孔形状であることが示されている。
　
　上述の記載事項(2a)，(2b)及び図面の記載から見て，刊行物２には，以下の発明が記載されているものと認められる（以下，「刊行物２記載の発明」という。）。
　
　「ソレノイド３４のヨーク天井面に取付け部材３６のソレノイド取付け部を接合固定することにより，ソレノイド３４のプランジャ３５が出没する外面に，プランジャ３５に近接して，その中心軸に平行な板状の保持部材取付け部５９を装着し，この板状の保持部材取付け部５９にプランジャ３５の長さ方向に沿う連結ピンガイド溝６０を開口させ，この連結ピンガイド溝６０に，プランジャの外側面に大きく突出して設けられた連結ピン４０を係合させて，プランジャ３５に連結されたリール台係止部材３２の先端部が第１の位置と，第２の位置との範囲に亘って移動動作するように，連結ピン４０の動作量を規制するようにしたソレノイドの取付け機構。」
　
３　対比
　本願発明と刊行物１記載の発明とを対比する。
　刊行物１記載の発明の「ソレノイド５２」，「軸ピン５３」，「長孔５７」，「ガイドピン５６」は，本願発明の「ソレノイド」，「プランジャ」，「長孔」，「連結ピン」にそれぞれ相当する。
　刊行物１記載の発明の「長孔５７」は，プランジャ（軸ピン５３）に連結した作動杆５５に設けられたガイドピン５６をガイドするものであるから，プランジャの長さ方向に沿う「長孔」であることは自明であり，本願発明と刊行物１記載の発明とは，長孔の設けられる位置が「ソレノイドのプランジャの付近」である点で共通する。
　刊行物１記載の発明は，プランジャの動きが，作動杆５５，リンク部材６０を介して錠ピン６５を駆動するものであるから，「リンク部材６０，錠ピン６５」は，本願発明の「ソレノイドにより制御される機構側」に相当する。
　
　よって，本願発明と刊行物１記載の発明とは，以下の一致点，相違点を有する。
　
　［一致点］
　「ソレノイドのプランジャの付近に長孔を開口させ，この長孔に，プランジャとともに動く連結ピンを係合させて，ソレノイドにより制御させる機構側を駆動するようにした，ソレノイド機構。」
　
　［相違点１］
　長孔が，本願発明は，プランジャが出没する外面に，プランジャに近接して装着した，プランジャの中心軸方向に平行な規制板に設けられているのに対し，刊行物１記載の発明は，ソレノイドが収容されるブラケット５０のプランジャの中心軸方向と平行となっている一面に設けられるものである点。
　
　［相違点２］
　本願発明は，長孔に，プランジャの外側面に突設された連結ピンを係合させてプランジャの行程を制限することにより，ソレノイドにより制御される機構側のプランジャの規制機構を省略するようにしたソレノイドの行程制限機構であるのに対し，刊行物１記載の発明は，長孔５７が係合するガイドピン５６によってプランジャの行程を制限するものであるかどうかが不明であり，補正発明のような行程制限機構となっているかが不明な点。
　
４　判断
　上記相違点について検討する。
　相違点１について
　刊行物２記載の発明には，「連結ピンガイド溝６０（補正発明の「長孔」に相当。）」が，プランジャに近接して，その中心軸方向に平行な「板状の保持部材取付け部５９（補正発明の「規制板」に相当。）」に設けられている，ソレノイドの取付け機構が開示されている。
　刊行物１記載の発明は，ブラケット側面がソレノイドに近接しているものであって，ブラケットに長孔を設けているが，ブラケット側面とソレノイドとが近接していないような場合に，ブラケットに長孔を設けることに代えて，長孔を刊行物２記載のような板状の部材（規制板）に設け，該部材をプランジャに近接して設けることは当業者が容易になし得ることである。
　
　刊行物２記載の発明は，「板状の保持部材取付け部５９（規制板）」を，ソレノイド取付け部をソレノイドのヨーク天井面に接合固定することによって取り付けているものであるが，ソレノイドのどの面に規制板を装着するかは，ソレノイドの形状や他の部材との寸法関係を考慮して当業者が適宜決定し得る事項であり，刊行物１記載の発明において，長孔を刊行物２記載のような規制板に設け，該部材をプランジャに近接して設けるにあたり，規制板をソレノイドのプランジャが出没する外面に固定して装着することは，当業者が容易になし得ることである。
　
　相違点２について
　刊行物２記載の発明には，ソレノイドの取付けにあたり，「連結ピンガイド溝６０の長さによって，プランジャ３５に連結されたリール台係止部材３２の先端部が第１の位置と，第２の位置との範囲に亘って移動動作するように，連結ピン４０の動作量を規制する」技術思想が開示されている。
　
　刊行物１記載の発明においても，「ソレノイドに制御される機構側」の部材である錠ピン６５は，鍵孔６９に嵌合して施錠する位置と，鍵孔６９から抜け出して解錠する位置との範囲で動くものであり，ソレノイドは，錠ピン６５が上記のような２つの位置の範囲に亘って移動動作するように機構側を駆動するものであるから，刊行物１記載の発明において，ソレノイドに制御される機構側が，確実に２つの位置の範囲にわたって作動するように，刊行物２記載の長孔の長さによって連結ピン（及びそれに固定されたプランジャ）の動作量を規制する技術を採用し，長孔に，プランジャの外側面に突設された連結ピンを係合させてプランジャの行程を制限することは当業者が容易になし得ることである。
　プランジャの行程をソレノイドに設けた長孔及びピンによって制限すれば，ソレノイドにより制御させる機構側には，プランジャの規制機構は必須ではないことは自明であるから，これを省略することは，当業者が容易になし得ることである。
　
５　本願発明の効果について
　ソレノイドによって制御される機構側に行程の規制機構を設ける必要がないことは，プランジャの行程をソレノイドに設けた長孔及びピンによって制限した刊行物２記載の発明から予測し得る効果である。
　プランジャの引き出し力や吸引力の設定の自由度が増すことも，プランジャの行程をソレノイドに設けた長孔及びピンによって制限した刊行物２記載の発明から予測し得る効果である。
　本願発明の効果は，全体として，刊行物１，２記載の発明から当業者が予測できる程度のものである。
　
６　むすび
　したがって，本願発明は，刊行物１，２に記載された発明に基づいて，当業者が容易に発明をすることができたものであるから，特許法第２９条第２項の規定により特許を受けることができないものであり，本願は拒絶をすべきものである。
　よって，結論のとおり審決する。